(57)【要約】【課題】ロール梱包体を安全かつ容易に開梱することができ、作業効率の向上を図ることができるロール梱包体の開梱装置を提供する。【解決手段】少なくとも、ロール梱包体における切断端部の包装体にカッターを突き刺し、カッター取手を保持しながらロール梱包体を回転させることにより、全周にわたって包装体を切開剥離ならしめる回転切開手段と、ロール梱包体中心部に挿入して回転移動手段をロール梱包体の外周面と略平行に保持するロール梱包体保持手段とを有し、またロール梱包体において、縦横のサイズを任意に位置調整が対応でき、接近・離間が可能に支持され、さらに開梱途中で開梱を中止する場合において、回転自在な回転軸部に付帯するストッパーを回転軸部を保持している部材に装着することにより、前後に落下しないように安全性からも支持できる梱包体の開梱装置。【選択図】  図１
2006213367.tif 000002
【特許請求の範囲】
【請求項１】
ロールの少なくとも外周面を覆う包装体１を開梱するロール梱包体２の開梱装置２０であって、ロール梱包体２における切断端部の包装体１にカッター１３を突き刺し、カッター取手２４を保持しながらロール梱包体２を回転させることにより、全周にわたって包装体１を切開剥離ならしめる回転切開手段２７と、ロール梱包体中心部３に挿入して回転切開手段２７をロール梱包体２の外周面と略平行に保持するロール梱包体保持手段４とを有することを特徴するロール梱包体の開梱装置。
【請求項２】
回転切開手段２７において、ロール梱包体２の切断端部に合わせて、ロール梱包体２幅方向に対するカッター１３の位置を調整可能ならしめるカッター左右スライド機構１４、１７を有する請求項１記載のロール梱包体の開梱装置。
【発明の詳細な説明】
【技術分野】
【０００１】
本発明は、ロール梱包体の開梱装置に関するものであり、さらに詳しくは、ロール梱包体を安全かつ容易に開梱することができ、作業効率の向上を図ることができるロール梱包体の開梱装置に関するものである。
【背景技術】
【０００２】
製紙工場から出荷される巻取紙は、湿気や損傷防止の為、ワンプと称される厚手の紙やビニール等で全体が包装され、保護された状態で出荷される。そのロール梱包体を特定の機器に装着するには、その梱包体の側面部や鏡面部を前もって開梱しなければならない。
【０００３】
従来、少要員の中での開梱作業は相当の時間を要することになる。詳しくは、ロール梱包体の外周面とワンプの間にカッターナイフを差し込み、手前（自分）側に引き下ろして鏡面部を剥離切開するという作業になり、例えば、カッターナイフが外周面とワンプの間より飛び出した場合に、自分側にカッターナイフが出てくる恐れもあり、安全性からも問題であった（例えば、特許文献１〜４参照）。
【特許文献１】特開平５−１３９４２４号公報
【特許文献２】特開平９−２０７９２３号公報
【特許文献３】特開２００３−２７６７１４号公報
【特許文献４】特開２００３−２７６７１７号公報
【発明の開示】
【発明が解決しようとする課題】
【０００４】
本発明はロール梱包体の開梱装置に関し、ロール梱包体の側面部を容易に開梱できることを目的とするものである。
【課題を解決するための手段】
【０００５】
上述した問題を解決するために、鋭意検討した結果、ロール梱包体の側面部を容易に開梱できるロール梱包体の開梱装置を発明するに至った。
【０００６】
すなわち、本発明はロール梱包体２を覆っている包装体１を切開剥離するロール梱包体２の開梱装置２０であって、ロール梱包体２における切断端部の包装体１にカッター１３を突き刺し、カッター取手２４を保持しながらロール梱包体２を回転させることにより、全周にわたって包装体１を切開剥離ならしめる回転切開手段２７と、ロール梱包体中心部３に挿入して回転切開手段２７をロール梱包体２の外周面と略平行に保持するロール梱包体保持手段４とを有することを特徴するロール梱包体の開梱装置である。
【０００７】
また、本発明のロール梱包体の開梱装置２０は、回転切開手段２７において、ロール梱包体２の切断端部に合わせて、ロール梱包体２幅方向に対するカッター１３の位置を調整可能ならしめるカッター左右スライド機構１４、１７を有するロール梱包体の開梱装置である。
【発明の効果】
【０００８】
本発明によれば、ロール梱包体を安全かつ容易に開梱することができ、作業効率の向上を図ることができる。
【発明を実施するための最良の形態】
【０００９】
以下、図面を参照して本発明の一実施形態によるロール梱包体の開梱装置を説明する。
【００１０】
図１は本発明の一実施形態によるロール梱包体の開梱装置の全体構成を示す図である。本発明のロール梱包体の開梱装置２０は、ロール梱包体２で覆われている包装体１を切開剥離する開梱装置であり、ロール梱包体２における切断端部の包装体１にカッター１３を突き刺し、カッター取手２４を保持しながらロール梱包体２を回転させることにより、全周にわたって包装体１を切開剥離ならしめる回転切開手段２７と、ロール梱包体中心部３に挿入して回転切開手段２７をロール梱包体２の外周面と略平行に保持するロール梱包体保持手段４とを少なくとも有する。
【００１１】
本発明のロール梱包体の開梱装置２０を用いてロール梱包体２を覆っている包装体１を切開剥離するには、まず梱包されているロール梱包体２の巻き取り芯であるロール梱包体中心部３にロール梱包体保持手段４を差し込み、ロール梱包体２に対して開梱装置２０を固定する。ロール梱包体保持手段４は、カッター１３を備える回転切開手段２７を、ロール梱包体中心部３を中心として回転可能に保持させる手段である。
【００１２】
ロール梱包体中心部３の内径は巻き取りの芯材により必ずしも一定ではないので、開梱装置２０ががたつくことなく固定されるよう、ロール梱包体保持手段４は内径に対応して径変化自在かつ芯材内径面に付勢されるようになっていることが好ましい。そのような機構として、ロール梱包体保持手段４へのエアー供給によりロール梱包体保持手段４の外周径が拡大し、芯材内径面に押圧接触するエアーシャフトが挙げられる。
【００１３】
次に、包装体１とロール梱包体２の剥離切開作業に入るに際して、カッター収納部１８よりカッター１３を取り出し、ロール梱包体２の幅方向包装端部に合わせて位置決めをする。本発明の開梱装置２０における回転切開手段２７には、ロール梱包体幅方向に対するカッター１３の位置を調整可能ならしめるカッター左右スライド機構１４、１７を備えており、巻き幅の異なるロール梱包体に対し、任意位置にカッター１３をスライド調整可能になっている。
【００１４】
ロール梱包体２の幅方向に対するカッター１３の位置を調整し、左右の切断位置が決まったら、カッター上下スライド機構１２にてロール梱包体２に対する回転切開手段２７の位置（離間距離）を調整する。
【００１５】
続いて剥離作業に入る。開梱作業者は本発明のロール梱包体の開梱装置２０の前方に立ち、カッター収納部１８より取り出したカッター１３をロール梱包体２における切断端部の包装体１にカッター１３を突き刺し、カッター取手２４を保持しながら、ロール梱包体２の外周面に沿って手前に引き、またロール梱包体２を奥に押してロール梱包体２をカッター１３と逆方向に回転させることにより、全周にわたって包装体１を切開剥離することができる。
【００１６】
以上が一連の開梱作業であるが、更に本発明の開梱装置２０には反転を防止するためのストッパー機構部９〜１２を有している。図２は、本発明に係るストッパー機構部９〜１２の構成図である。カッター上下スライド機構１２と回転軸保持手段１１とによって回転切開手段２７の上下方向の位置に調整しながらカッター１３をロール梱包体２における切断端部の包装体１に突き刺し、カッター取手２４を保持しながら、ロール梱包体２の外周面に沿って手前に引き、またロール梱包体２を奥に押してロール梱包体２をカッター１３と逆方向に回転させることにより、ロール梱包体２から包装体１を切開剥離することができるが、切開剥離途中で任意に作業を停止したい場合には、カッター取手２４の動作を止めれば、ストッパーギア７及びストッパー９によって後退せずに定位置に停止できる。
【００１７】
図３は、カッター収納部１８を真上から見た構成図である。ロール梱包体２の側面包装体の切開作業が終了したら、カッター１３をカッター収納部１８へ移動させる。カッター回転軸１５を中心に回転させ、カッター取手２４をカッター収納保持手段１９に委ねる。
【００１８】
カッター収納保持手段１９の中央部には、カッター取手２４を収納保持できるように湾曲された溝２６になっており、収納保持されればカッター１３は固定される。
【００１９】
以上説明したように、本発明のロール梱包体の開梱装置によれば、作業効率もアップし、ロスタイム、そして安全面からも十分に活用できる。
【図面の簡単な説明】
【００２０】
【図１】本発明のロール梱包体の開梱装置の全体構成図である。
【図２】本発明のロール梱包体の開梱装置の回転軸部の構成図である。
【図３】本発明のロール梱包体の開梱装置のカッター収納部の構成図である。
【符号の説明】
【００２１】
１  包装体
２  ロール梱包体
３  ロール梱包体中心部
４  ロール梱包体保持手段
７  ストッパーギア
９  ストッパー
１０  ストッパー保持軸
１１  回転軸保持手段
１２  カッター上下スライド機構
１３  カッター
１４、１７  カッター左右スライド機構
１５  カッター回転軸
１８  カッター収納部
１９  カッター収納保持手段
２０  開梱装置
２４  カッター取手
２６  溝
２７  回転切開手段
【図１】
2006213367.tif 000003
【図２】
2006213367.tif 000004
【図３】
2006213367.tif 000005